【手続補正書】
【提出日】平成23年10月24日(2011.10.24)
【手続補正１】
【補正対象書類名】特許請求の範囲
【補正対象項目名】全文
【補正方法】変更
【補正の内容】
【特許請求の範囲】
【請求項１】
複数の画素が行方向及び列方向に配列された画素配列と、
シフト動作により、前記画素配列から信号が読み出されるように、前記画素配列を列方向に走査する垂直走査回路と、
前記画素配列から読み出された信号を保持する読み出し部と、
シフト動作により、前記読み出し部を行方向に走査する水平走査回路と、
を備え、
前記垂直走査回路は、前記読み出し部に前記画素配列における一部の行から信号が読み出される場合、前記水平走査回路により前記読み出し部が行方向に走査される動作が完了する前に、非読み出し行をスキップ走査するためのシフト動作を開始し、前記水平走査回路により前記読み出し部が行方向に走査される動作が完了した後に、前記読み出し部が前記垂直走査回路により順次に選択された読み出し行から信号を読み出すように、前記画素配列における読み出し行を順次に選択する
ことを特徴とする撮像センサ。
【請求項２】
前記読み出し部から転送された信号を出力する出力部をさらに備え、
前記水平走査回路は、前記読み出し部に前記画素配列から読み出された行の信号のうち一部の列の信号が前記出力部へ転送される場合、前記読み出し部に読み出し行から信号が読み出される動作が完了する前に、非転送列の信号をスキップ走査するためのシフト動作を開始し、前記読み出し部に読み出し行から信号が読み出される動作が完了した後に、前記読み出し部における前記水平走査回路により順次に選択された転送列の信号が前記出力部に転送されるように、前記読み出し部における転送列の信号を順次に選択する
ことを特徴とする請求項１に記載の撮像センサ。
【請求項３】
前記読み出し部から転送された信号を出力する出力部をさらに備え、
前記垂直走査回路と前記水平走査回路とは、前記読み出し部に前記画素配列における一部の行から信号が読み出されるとともに、前記読み出し部に前記画素配列から読み出された行の信号のうち一部の列の信号が前記出力部へ転送される場合、前記水平走査回路により前記読み出し部が行方向に走査される動作が完了した後に、非読み出し行をスキップ走査するためのシフト動作と非転送列の信号をスキップ走査するためのシフト動作とをそれぞれ開始し、
その後、前記垂直走査回路は、前記読み出し部が前記垂直走査回路により順次に選択された読み出し行から信号を読み出すように、前記画素配列における読み出し行を順次に選択し、
前記水平走査回路は、前記読み出し部に読み出し行から信号が読み出される動作が完了した後に、前記読み出し部における前記水平走査回路により順次に選択された転送列の信号が前記出力部に転送されるように、前記読み出し部における転送列の信号を順次に選択する
ことを特徴とする請求項１に記載の撮像センサ。
【請求項４】
複数の画素が行方向及び列方向に配列された画素配列と、
シフト動作により、前記画素配列から信号が読み出されるように、前記画素配列を列方向に走査する垂直走査回路と、
前記画素配列から読み出された信号を保持する読み出し部と、
シフト動作により、前記読み出し部を行方向に走査する水平走査回路と、
前記読み出し部から転送された信号を出力する出力部と、
を備え、
前記水平走査回路は、前記読み出し部に前記画素配列から読み出された行の信号のうち一部の列の信号が前記出力部へ転送される場合、前記読み出し部に読み出し行から信号が読み出される動作が完了する前に、非転送列の信号をスキップ走査するためのシフト動作を開始し、前記読み出し部に読み出し行から信号が読み出される動作が完了した後に、前記読み出し部における前記水平走査回路により順次に選択された転送列の信号が前記出力部に転送されるように、前記読み出し部における転送列の信号を順次に選択する
ことを特徴とする撮像センサ。
【請求項５】
請求項１から４のいずれか１項に記載の撮像センサと、
前記撮像センサの撮像面へ像を形成する光学系と、
前記撮像センサから出力された信号を処理して画像データを生成する信号処理部と、
を備えたことを特徴とする撮像システム。
【請求項６】
複数の画素が行方向及び列方向に配列された画素配列と、シフト動作により、前記画素配列から信号が読み出されるように、前記画素配列を列方向に走査する垂直走査回路と、前記画素配列から読み出された信号を保持する読み出し部と、シフト動作により、前記読み出し部を行方向に走査する水平走査回路と、を備える撮像センサの駆動方法であって、
前記読み出し部に前記画素配列における一部の行から信号が読み出される場合、前記水平走査回路により前記読み出し部が行方向に走査される動作が完了する前に、前記垂直走査回路に非読み出し行をスキップ走査するためのシフト動作を開始させ、前記水平走査回路により前記読み出し部が行方向に走査される動作が完了した後に、前記読み出し部が前記垂直走査回路により順次に選択された読み出し行から信号を読み出すように、前記垂直走査回路に前記画素配列における読み出し行を順次に選択させる
ことを特徴とする撮像センサの駆動方法。
【請求項７】
前記撮像センサは、前記読み出し部から転送された信号を出力する出力部をさらに備え、
前記駆動方法は、前記読み出し部に前記画素配列から読み出された行の信号のうち一部の列の信号が前記出力部へ転送される場合、前記読み出し部に読み出し行から信号が読み出される動作が完了する前に、前記水平走査回路に非転送列の信号をスキップ走査するためのシフト動作を開始させ、前記読み出し部に読み出し行から信号が読み出される動作が完了した後に、前記読み出し部における前記水平走査回路により順次に選択された転送列の信号が前記出力部に転送されるように、前記水平走査回路に前記読み出し部における転送列の信号を順次に選択させる
ことを特徴とする請求項６に記載の撮像センサの駆動方法。
【請求項８】
前記撮像センサは、前記読み出し部から転送された信号を出力する出力部をさらに備え、
前記駆動方法は、前記読み出し部に前記画素配列における一部の行から信号が読み出されるとともに、前記読み出し部に前記画素配列から読み出された行の信号のうち一部の列の信号が前記出力部へ転送される場合、前記水平走査回路により前記読み出し部が行方向に走査される動作が完了した後に、前記垂直走査回路に非読み出し行をスキップ走査するためのシフト動作を開始させ、前記水平走査回路に非転送列の信号をスキップ走査するためのシフト動作とを開始させ、
その後、前記読み出し部が前記垂直走査回路により順次に選択された読み出し行から信号を読み出すように、前記垂直走査回路に前記画素配列における読み出し行を順次に選択させ、
前記読み出し部に読み出し行から信号が読み出される動作が完了した後に、前記読み出し部における前記水平走査回路により順次に選択された転送列の信号が前記出力部に転送されるように、前記水平走査回路に前記読み出し部における転送列の信号を順次に選択させる
ことを特徴とする請求項６に記載の撮像センサの駆動方法。
【請求項９】
複数の画素が行方向及び列方向に配列された画素配列と、シフト動作により、前記画素配列から信号が読み出されるように、前記画素配列を列方向に走査する垂直走査回路と、前記画素配列から読み出された信号を保持する読み出し部と、シフト動作により、前記読み出し部を行方向に走査する水平走査回路と、前記読み出し部から転送された信号を出力する出力部と、を備える撮像センサの駆動方法であって、
前記読み出し部に前記画素配列から読み出された行の信号のうち一部の列の信号が前記出力部へ転送される場合、前記読み出し部に読み出し行から信号が読み出される動作が完了する前に、前記水平走査回路に非転送列の信号をスキップ走査するためのシフト動作を開始させ、前記読み出し部に読み出し行から信号が読み出される動作が完了した後に、前記読み出し部における前記水平走査回路により順次に選択された転送列の信号が前記出力部に転送されるように、前記水平走査回路に前記読み出し部における転送列の信号を順次に選択させる
ことを特徴とする撮像センサの駆動方法。
【手続補正２】
【補正対象書類名】明細書
【補正対象項目名】発明の名称
【補正方法】変更
【補正の内容】
【発明の名称】撮像センサ、撮像システム、および、撮像センサの駆動方法